(57)【特許請求の範囲】
【請求項１】
分流バルブスイッチ及び導管により、車内の冷暖房の冷気または暖気を排出する前に温冷蔵庫及び保温庫に導入してから排出し、冷暖房の排出機能に影響せずに温冷蔵庫及び保温庫を適切な温度に保ち、
分流バルブスイッチは、車内のダッシュボード上に設置し、または冷暖房の出口部に組み込み、車両の冷暖房システムの出口管路で分流して分流バルブスイッチに接続し、
温冷蔵庫は、分流バルブスイッチの導管に接続し、組み込み式(built-in)として、運転席の隣りの前席中央部に設置し、内壁はステンレス薄板またはその他保温材によって作られているため、素早く冷気または暖気を吸収及び保持し、同じ口径の一つの入口と二つの出口を有する適度な大きさの密閉式収納スペースとし、入口から冷気または暖気が導入され、導管に接した一つの出口から一部の冷気または暖気が保温庫に導入され、もう一つの出口を通して、残りの冷気または暖気が車の本来有する冷暖房システムの出口を通して排出され、温冷蔵庫内には二層の収納スペースを設け、中間部が可動式(removable)の金属層で分けられ、金属層は穴の空いた設計として構成したことを特徴とする
車両用簡易温冷蔵庫組み合わせ装置。
【請求項２】
金属層上の片側部に二つの滑り止めの穴とドリンクホルダー敷きを設け、温冷蔵庫の上部に開閉可能な外蓋を設け、外蓋にはドリンクホルダー敷きに対応している二つの開閉可能な開口と保護カバーを有することを特徴とする請求項１に記載の車両用簡易温冷蔵庫組み合わせ装置。
【請求項３】
保温庫は携帯式(portable)または組み込み式(built-in)とすることができ、組み込み式は車が本来有する収納ボックスを利用して密閉式のものに改良でき、携帯式は排気量を調節できる空気調節孔と、導管と接続できる開口を有した携帯用のクーラーボックス (cooler box) にすることができ、
保温庫に接続する導管の出口は、車のタイプによって助手席の左前方、後部座席及びトランク内まで伸ばすことができ、それぞれの適切な場所に同じ口径の出口と保護カバーを設けた複数の導管の出口(multi-outlets)を形成し、１つまたは複数の携帯式の保温庫を導管へ容易に接続し、需要に合わせて保温庫の置き場所を増やせることを特徴とする請求項１に記載の車両用簡易温冷蔵庫組み合わせ装置。
【発明の詳細な説明】
【技術分野】
【０００１】
本発明は、適切な温度を保持できる車両用簡易温冷蔵庫組み合わせ装置とし、車内の冷暖房システムを利用し、分流バルブと導管を加えて、冷暖房の冷気または暖気を組み込み式（ｂｕｉｌｔ−ｉｎ）の密閉温冷蔵庫と携帯式（ｐｏｒｔａｂｌｅ）の保温庫に導入し、簡単なバイパス管路で分流する構造設計により、車内の冷暖房の排出機能に影響しない状況のもとで、車内の適切な温度を保持できる温冷蔵庫と保温庫に関する。
【背景技術】
【０００２】
現在、車両用として簡単で実用性があり、保冷、保温機能を有する組み込み式（ｂｕｉｌｔ−ｉｎ）の冷蔵庫または温蔵庫の装置がなく、一般的には簡単な収納庫だけで、冷蔵や温蔵の装置ではない。また、収納庫には保冷や保温の機能が無いため、寒い時または暑い時に運転者や乗客に適切な温度の飲み物やウェットティッシュ、おしぼり等を提供できず、または食べ物、飲み物等の新鮮な状態を維持できないため、機能的に十分ではなく不便である。
【０００３】
車内の運転席に簡易組み込み式（ｂｕｉｌｔ−ｉｎ）の密閉温冷蔵庫または保温庫を設置し、車が本来有する冷暖房を利用した冷源・熱源により冷蔵と温蔵機能の目的に達することができれば、車の機能を更に多様化することができる。これまでの市場ではこのような簡単な設計及び装置はなかった。  
そこで、本発明は先行技術の不足点に対して研究を重ね、適切な温度を保てる車両用の簡易温冷蔵庫組み合わせ装置の改善を提供する。
【発明の概要】
【発明が解決しようとする課題】
【０００４】
本発明の主な目的は、バイパス管路で分流する簡単な構造設計により、適切な保冷・保温機能を有する車両用の温冷蔵庫及び保温庫を形成し、多様的な使用目的を備え、車内でいつでも冷蔵及び温蔵ができる装置を利用できるようにする。  
もう一つの目的は、冷暖房の分流バルブスイッチをダッシュボード上に設置し、車内の空間を十分に利用して、密閉式に改良された温冷蔵庫と保温庫を簡単に利用できるようにする。これにより運転中に必要な食べ物、飲み物、ウェットティッシュ、おしぼりなどを庫内に入れて温度を保ち、運転者が車を止めずにいつでも取り出すことができ、運転にも影響しないため、長距離運転中の駐車回数を減らすことができる。従来から知られているように、冷たいまたは暖かいおしぼりで目や顔を拭くと覚醒効果があり、運転者の気分がすっきりとするため、疲労を解消し、居眠り運転による交通事故を減らして安全運転を向上させ、全体の交通安全の改善にもつながる。
【課題を解決するための手段】
【０００５】
本発明の車両用簡易温冷蔵庫組み合わせ装置は、分流バルブと導管を利用して、車内の冷暖房の冷気または暖気が排出される前に、まず密閉式の温冷蔵庫と保温庫に導入してから排出し、それにより車が本来有する冷暖房の排出機能に影響することなく温冷蔵庫及び保温庫の適切な保冷、保温効果を得ることができる。まず車内の冷暖房システムの出口経路で分流し、導管に接して分流バルブに流れる。分流バルブのスイッチを入れてから、冷気または暖気が導管を経由して組み込み式（ｂｕｉｌｔ−ｉｎ）の密閉温冷蔵庫に導入される。該温冷蔵庫には同じ口径の一つの入口と二つの出口を設け、入口からは冷気または暖気が導入され、導管に接した一つの出口から一部の冷気または暖気が保温庫に導入され、もう一つの出口を通って、残りの冷気または暖気が車内の冷暖房システムの出口経路から排出される。保温庫内に冷気または暖気がいっぱいになったとき、温冷蔵庫に入った冷気または暖気は全て上記出口を通って車内の冷暖房システムの出口経路に導入し排出される。このように密閉温冷蔵庫組み合わせ装置はいつでも常温常圧で気体流のバランスを確保することができ、更には過冷却または過熱または高圧によって爆発を引き起こすことがない。
【０００６】
該密閉温冷蔵庫の上部には開閉可能の外蓋を設け、外蓋にはドリンクホルダーに対応する開口と保護カバーを有する。開口の直径は市場で普及されている１２ｏｚの飲料ボトル、缶と緊密に接して気体の漏れを最小限にしている。また、おしぼりやウェットティッシュなどを金属層の上に置いて、保冷または保温を維持でき、金属層は可動式（ｒｅｍｏｖａｂｌｅ）のため温冷蔵庫の清掃がしやすく、また穴あき装飾設計により冷気または暖気が容易に金属層を通過し、底面に到達させてから第二の出口に導入させる。金属層上の片側には、外蓋に対応している二つの開口の位置に、二つの滑り止めの穴またはドリンクホルダー敷きを設け、使用時には外蓋上の開口のカバーを開けて、飲み物を穴の中または下敷きの上に置くと、保冷または保温の状態を維持し、飲み物を置かないときは外蓋上のカバーを閉じて、温冷蔵庫の密閉性と保冷、保温機能を確保することができる。温冷蔵庫の設置場所は運転者が使用するのに便利なところを最優先に考慮する。もう一つの保温庫の側面には排気量を調整できる空気調節孔を設け、これにより庫内の冷気または暖気の流通性を高め、新鮮さを保つことができる。
【図面の簡単な説明】
【０００７】
【図１】本発明の車両用簡易温冷蔵庫組み合わせ装置の設置図である。
【図２】本発明の車両用簡易温冷蔵庫組み合わせ装置の俯瞰図である。
【図３】本発明の車両用簡易温冷蔵庫組み合わせ装置の立体図である。
【図４】本発明で使用する部品の分解図である。
【発明を実施するための形態】
【０００８】
以下に本発明の技術内容をより明確にさせるため、具体的に添付図及び符号を参照しながら、詳細を説明する。
【０００９】
まず図１から図４までを参照すると、本発明の車両用簡易温冷蔵庫組み合わせ装置は、分流バルブスイッチ（１）、温冷蔵庫（２）、導管（３）及び導管に接続している保温庫（４）等で構成されており、分流バルブスイッチ（１）は導管（３）を経由して密閉式の温冷蔵庫（２）に接続されている。該温冷蔵庫は組み込み式（ｂｕｉｌｔ−ｉｎ）とし、位置は運転席の隣り、すなわち車の前席の中央に設置し、車内に備え付けてある開放式の収納ボックス（ｏｐｅｎ  ｃｏｍｐａｒｔｍｅｎｔ）から密閉性を具えたものへ改良することができる。該温冷蔵庫の内壁にはステンレス薄板（１２）またはその他保温材を内張りし、３つの同じ口径の開口（５）〜（７）を備え、適切な大きさの密閉式収納スペースとすることができ、入口（５）から冷気または暖気が進入し、出口（６）には導管を経由して保温庫（４）に接続する。該保温庫は携帯式（ｐｏｒｔａｂｌｅ）または組み込み式（ｂｕｉｌｔ−ｉｎ）とし、組み込み式（ｂｕｉｌｔ−ｉｎ）の場合は車内に備え付けてある収納ボックス（助手席の前方にあるもの等）から密閉性を具えたものへ改良することができ、携帯式の場合は開口に開閉機能を有する携帯用のクーラーボックス（ｃｏｏｌｅｒ  ｂｏｘ）とすることができる。また、保温庫の側面には排気量を調節できる空気調節孔（１３）を設けている。温冷蔵庫のもう一つの出口（７）は導管を車が本来有する冷暖房システムの出口経路に接続し、温冷蔵庫の中には上下二層の収納スペースを設け、中間部は可動式（ｒｅｍｏｖａｂｌｅ）の金属層（８）で分けられており、金属層は穴あき装飾設計とし、金属層上の片側に２つの滑り止めの穴またはドリンクホルダー敷き（９）を設けている。温冷蔵庫（２）の上部には開閉可能の外蓋（１０）を有し、外蓋（１０）にはドリンクホルダー敷き（９）に対応する２つの開口と保護カバー（１１）を設けている。
【００１０】
次に本発明の実際の作動上における流れについて説明する。まず車内の冷暖房システムの出口経路で分流し、導管（３）を経由して分流バルブスイッチ（１）まで接続する。分流バルブスイッチ（１）は車内のダッシュボード上に設置するか、または車が本来有する冷暖房の出口部に組み込むかのいずれか一つを選択し、分流バルブスイッチ（１）をオンにすると冷気または暖気が導管（３）を経由して温冷蔵庫（２）に導入される。また、飲み物を温冷蔵庫（２）のドリンクホルダー敷き（９）の上に置き、おしぼりやウェットティッシュなどを温冷蔵庫（２）の金属層（８）の上に置けば保冷または保温を維持することができる。冷気または暖気は金属層（８）を通って底面に到達したあと、出口（６）から一部の冷気または暖気が保温庫（４）に導入され、残りの冷気または暖気はもう一方の出口（７）から車が本来有する冷暖房システムの出口経路に導入して排出される。また、温冷蔵庫（２）内に設けている金属層（８）は可動式（ｒｅｍｏｖａｂｌｅ）のため庫内の清掃がしやすく、保温庫（４）の空気調節孔（１３）は冷気または暖気の流通性を高め、新鮮さを保つことができる。
【００１１】
次に本発明の特徴的な点を以下にまとめる。１．本発明は車内の冷暖房のバイパス管路で分流する簡単な構造設計を原理として、適切な保冷・保温効果を有する車両用温冷蔵庫（２）と保温庫（４）を構築し、且つ車が本来有する冷暖房の排出機能に影響はしない。組み込み式の温冷蔵庫（２）及び保温庫（４）は運転席の隣りに備えている収納ボックスまたはドリンク置き場、または助手席の前方にある収納ボックスを密閉性を具えたものに改良し、そこに冷気または暖気の出入口を設置して、導管で接続するようにするため、車内の限られたスペースを占有することなく利用することができる。携帯式の保温庫（４）の場合は、排気を調節できる空気調節孔（１３）を有し、簡単に開閉ができる開口を備え、導管で接続された携帯用のクーラーボックス（ｃｏｏｌｅｒ  ｂｏｘ）とすることができ、このように組み込み式と携帯式の両方を兼ね備えている。 2. 温冷蔵庫（２）と保温庫（４）の冷気または暖気の供給源は、車が本来有する冷暖房の出口の分流部に分流導管を加えて排出を堰き止めたものであるため、特別に供給しなくとも元の冷暖房の冷気または暖気を利用でき、余計なエネルギーを使う必要はない。分流導管のスイッチは車内のダッシュボード上の適切な場所に設置するか、あるいは車の冷暖房の出口部に組み入れることもでき、実務上及び技術上においても簡単である。３．温冷蔵庫（２）と保温庫（４）内の冷気または暖気は流動性を具え、適時に更新されるため、庫内の冷気または暖気及び食べ物、飲み物の鮮度を維持することができ、カビの匂いが発生しにくい。４．携帯式の保温庫（４）に接続する導管の出口（６）は、車のタイプによって助手席の左前方、後部座席及びトランク内まで伸ばすことができる。また、適切な場所にそれぞれ同じ口径の出口と保護カバーを設置し、複数の出口（ｍｕｌｔｉ−ｏｕｔｌｅｔｓ）及び密封カバーを形成することで、１つ又は複数の携帯式保温庫を導管へ接続するのに便利であり、需要に合わせて保温庫を異なる場所に置く場合も便利である（車内が満席のときには保温庫をトランクに置くなどの選択肢が取れる）。５．本発明は使用するにあたり迅速性、有効性、簡易性、利便性、安全性を有し、実用において様々な特徴がある。使用方法のステップを次のように説明すると、乗車  エンジン始動  冷房または暖房を入れ、温冷蔵庫（２）を経由して出口へ流れるように選択する  約１分から３分間で運転席の隣りにある温冷蔵庫から冷たいおしぼりやウェットティッシュを取り出して使用することができ（暖気を利用して温かいおしぼりやウェットティッシュを使用する場合は、車の暖機が必要）、運転には確実に影響せず、且つ停車する必要はない。６．本発明の車両用簡易温冷蔵庫組み合わせ装置は、主に、分流バルブスイッチ、導管、組み込み式（ｂｕｉｌｔ−ｉｎ）温冷蔵庫、携帯式（ｐｏｒｔａｂｌｅ）または組み込み式（ｂｕｉｌｔ−ｉｎ）保温庫、ドリンクホルダー敷き、保護カバーなどで構成されるが、明確な型式、大きさ、サイズ、適切な位置、使用材料はいずれも定めていない。これは異なるメーカーや異なる車種及び実際の設計、製造したものによってスペースの大きさ、位置、材料などの使用上で応用が利くものを提供するためであり、各種の自動車が本来有する生産ラインの設備にあわせて考慮する。７．本発明は、原理と応用上において非常に大きな通用性と普遍性を具えており、各種の異なるメーカーや異なる車種の乗用車、ＳＵＶ、トラックなどに適用し、開放式の収納ボックス（ｏｐｅｎ  ｃｏｍｐａｒｔｍｅｎｔ）であれば全てに適用する。但し唯一の欠点としては現在使用している車両に適用しにくいところが挙げられる。８．最も重要な点は、実際の設計及び生産ラインの設備上において大きな投資や変更をする必要がないところである。
【産業上の利用可能性】
【００１２】
本発明は設計が簡単で、且つ実用性が高く、開発の潜在力を備えているため、将来はワイパーや車両のライトのように各タイプの新車に必要とされ、且つ実用上で重要なパーツの一つになる可能性があり、経済上の利用価値を大きく具えている。
【００１３】
以上の記述は、本発明の実施例を説明するのみであり、本発明の実際の範囲を限定するものではない。故に本発明の出願範囲内で、これらの技術に熟知している者による各種の変化、修正及び応用についてはいずれも本発明の出願範囲内に含まれるものとする。
【符号の説明】
【００１４】
１…分流バルブスイッチ、２…温冷蔵庫、３…導管、４…保温庫、５…入口、６…出口、７…出口、８…金属層、９…ドリンクホルダー敷き、１０…外蓋、１１…開口と保護カバー、１２…ステンレス薄板、１３…空気調節孔。
【図１】
0006444907.tif 000002
【図２】
0006444907.tif 000003
【図３】
0006444907.tif 000004
【図４】
0006444907.tif 000005